(57)【要約】【課題】キャッシュカードの利用累積額を管理することなく限度額を超えるカードの使用を制限できるようにする。【解決手段】携帯端末１０は、口座情報と、取引額の限度額とを記憶する。ＡＴＭ２０は、携帯端末１０から口座情報と限度額を受信する。ＡＴＭ２０は、現金の引き出しや振込等の取引金額の入力を受け付け、携帯端末１０から受信した限度額を取引金額が超えているかどうかにより、取引が可能かどうかを判断する。ＡＴＭ２０は、取引が可能と判断した場合に出金処理を行う。【選択図】  図１
2006244379.tif 000002
【特許請求の範囲】
【請求項１】
現金自動預払機と、携帯端末とを含んで構成され、
前記携帯端末は、
口座を特定するための口座情報を記憶するメモリと、
当該口座からの出金又は振込である取引を現時点で行うことが可能な金額である限度額の入力を受け付ける限度額入力部と、
入力された前記限度額を前記メモリに記憶する限度額設定部と、
前記現金自動預払機との間での無線通信を行う第１の無線通信部と、を備え、
前記現金自動預払機は、
前記携帯端末との間での無線通信を行う第２の無線通信部と、
前記口座情報及び前記限度額を取得するための口座情報取得要求を、前記第２の無線通信部を介して前記携帯端末に送信する口座情報取得要求送信部と、を備え、
前記携帯端末は、
前記現金自動預払機から送信される前記口座情報取得要求を前記第１の無線通信部を介して受信する口座情報取得要求受信部と、
前記口座情報取得要求に応じて、前記口座情報及び前記限度額を前記第１の無線通信部を介して前記現金自動預払機に送信する口座情報送信部と、を備え、
前記現金自動預払機は、
前記携帯端末から送信される前記口座情報及び前記限度額を前記第２の無線通信部を介して受信する口座情報受信部と、
前記取引における取引金額の入力を受け付ける取引金額入力部と、
受け付けた前記取引金額が前記限度額を超えているかどうかにより前記取引が可能かどうかを判断する取引可否判断部と、
前記取引が可能な場合に、前記口座情報により特定される口座からの前記取引のための処理を行う取引処理部と、
前記携帯端末に記憶されている前記限度額から前記取引金額を減額するように指示する限度額更新要求を、前記第２の無線通信部を介して前記携帯端末に送信する限度額更新要求送信部と、を備え、
前記携帯端末は、
前記現金自動預払機から送信される前記限度額更新要求を、前記第１の無線通信部を介して受信する限度額更新要求受信部と、
前記限度額更新要求に応じて、前記メモリに記憶されている前記限度額を、前記限度額から前記取引金額を減額した金額に更新する限度額更新部と、
を備えることを特徴とする取引処理システム。
【請求項２】
請求項１に記載の取引処理システムであって、
前記携帯端末は、非接触型のＩＣカードを備え、
前記ＩＣカードが、前記メモリと、前記第１の無線通信部と、前記口座情報取得要求受信部と、前記口座情報送信部と、を備え、
前記現金自動預払機は、非接触型の前記ＩＣカードに対するデータの読み書きを行うリーダライタを備え、
前記リーダライタが、前記第２の無線通信部を備え、
前記口座情報受信部は、前記リーダライタを介して、前記ＩＣカードに記憶されている前記口座情報及び前記限度額を読み出し、
前記限度額更新要求送信部は、前記リーダライタを介して、前記ＩＣカードに記憶されている前記限度額を、前記限度額から前記取引金額を減額した金額に書き換えること、
を特徴とする取引処理システム。
【請求項３】
請求項１に記載の取引処理システムであって、
前記限度額入力部は、前記限度額に加算すべき金額として前記設定金額の入力を受け付け、
前記限度額設定部は、受け付けた前記設定金額を前記限度額に加算すること、
を特徴とする取引処理システム。
【請求項４】
請求項１に記載の取引処理システムであって、
前記現金自動預払機は、
前記携帯端末に前記限度額として設定すべき設定金額の入力を受け付ける設定金額入力部と、
前記設定金額を前記限度額として設定するように指示する限度額設定要求を前記第２の無線通信部を介して前記携帯端末に送信する限度額設定要求送信部と、
を備え、
前記限度額入力部は前記現金自動預払機から送信される前記限度額設定要求を受信し、
前記限度額設定部は、前記限度額設定要求に応じて、前記設定金額を前記限度額として前記メモリに記憶すること、
を特徴とする取引処理システム。
【請求項５】
請求項４に記載の取引処理システムであって、
前記設定金額入力部は、前記限度額に加算すべき金額として前記設定金額の入力を受け付け、
前記限度額設定部は、前記限度額設定要求に応じて、前記メモリに記憶されている前記限度額に前記設定金額を加算すること、
を特徴とする取引処理システム。
【請求項６】
請求項１に記載の取引処理システムであって、
前記限度額更新要求送信部は、前記限度額から前記取引金額を減算した金額である更新金額を算出し、前記更新金額を前記限度額更新要求に設定して前記携帯端末に送信し、
前記限度額更新部は、前記限度額更新要求に設定されている前記更新金額を前記限度額として前記メモリに記憶すること、
を特徴とする取引処理システム。
【請求項７】
請求項１に記載の取引処理システムであって、
前記限度額更新要求送信部は、前記取引金額を前記限度額更新要求に設定して前記携帯端末に送信し、
前記限度額更新部は、前記メモリに記憶されている前記限度額から、前記限度額更新要求に設定されている前記取引金額を減算した金額である更新金額を算出し、算出した更新金額を前記限度額として前記メモリに記憶すること、
を特徴とする取引処理システム。
【請求項８】
口座からの出金又は振込である取引に用いられる携帯端末であって、
口座を特定するための口座情報を記憶するメモリと、
当該口座からの出金又は振込である取引を現時点で行うことが可能な金額である限度額の入力を受け付ける限度額入力部と、
入力された前記限度額を前記メモリに記憶する限度額設定部と、
前記取引のための処理を行う現金自動預払機との間で無線通信を行う無線通信部と、
前記メモリに記憶されている前記口座情報及び前記限度額を前記無線通信部を介して前記現金自動預払機に送信する口座情報送信部と、
前記現金自動預払機から送信される、前記取引における取引額を前記限度額から減算するように指示する限度額更新要求を前記無線通信部を介して受信する限度額更新要求受信部と、
前記限度額更新要求に応じて、前記メモリに記憶されている前記限度額から前記取引額を減算した金額を前記限度額として前記メモリに記憶する限度額更新部と、
を備えることを特徴とする携帯端末。
【請求項９】
請求項８に記載の携帯端末であって、
前記携帯端末は、
前記限度額に加算すべき金額として前記設定金額の入力を受け付け、
受け付けた前記設定金額を前記限度額に加算すること、
を特徴とする携帯端末。
【請求項１０】
請求項８に記載の携帯端末であって、
前記限度額更新要求には前記取引金額が設定され、
前記限度額更新部は、前記メモリに記憶されている前記限度額から、前記限度額更新要求に設定されている前記取引金額を減算した金額である更新金額を算出し、算出した前記更新金額を前記限度額として前記メモリに記憶すること、
を特徴とする携帯端末。
【請求項１１】
相互に無線通信可能な現金自動預払機と無線通信とを含んで構成される取引処理システムにおいて、
前記携帯端末が、
口座を特定するための口座情報をメモリに記憶し、
当該口座からの出金又は振込である取引を現時点で行うことが可能な金額である限度額の入力を受け付け、
入力された前記限度額を前記メモリに記憶し、
前記現金自動預払機が、前記口座情報及び前記限度額を取得するための口座情報取得要求を前記携帯端末に送信し、
前記携帯端末が、
前記現金自動預払機から送信される前記口座情報取得要求を受信し、
前記口座情報取得要求に応じて、前記メモリに記憶されている前記口座情報及び前記限度額を前記現金自動預払機に送信し、
前記現金自動預払機が、
前記携帯端末から送信される前記口座情報及び前記限度額を受信し、
前記取引における取引金額の入力を受け付け、
受け付けた前記取引金額が前記限度額を超えているかどうかにより前記取引が可能かどうかを判断し、
前記取引が可能な場合に、前記口座情報により特定される口座からの前記取引のための処理を行い、
前記携帯端末に記憶されている前記限度額から前記取引金額を減額するように指示する限度額更新要求を前記携帯端末に送信し、
前記携帯端末が、
前記現金自動預払機から送信される前記限度額更新要求を受信し、
前記限度額更新要求に応じて、前記メモリに記憶されている前記限度額を、前記限度額から前記取引金額を減額した金額に更新すること、
を特徴とする取引処理方法。
【請求項１２】
請求項１１に記載の取引処理方法であって、
前記携帯端末は、前記限度額に加算すべき金額として前記設定金額の入力を受け付け、受け付けた前記設定金額を前記限度額に加算すること、
を特徴とする取引処理システム。
【請求項１３】
請求項１１に記載の取引処理方法であって、
前記現金自動預払機は、
前記携帯端末に前記限度額として設定すべき設定金額の入力を受け付け、
前記設定金額を前記限度額として設定するように指示する限度額設定要求を前記携帯端末に送信し、
前記携帯端末は、
前記現金自動預払機から送信される前記限度額設定要求を受信し、
前記限度額設定要求に応じて、前記設定金額を前記限度額として前記メモリに記憶すること、
を特徴とする取引処理方法。
【請求項１４】
請求項１３に記載の取引処理方法であって、
前記現金自動預払機は、前記限度額に加算すべき金額として前記設定金額の入力を受け付け、
前記携帯端末は、前記限度額設定要求に応じて、前記メモリに記憶されている前記限度額に前記設定金額を加算すること、
を特徴とする取引処理方法。
【請求項１５】
口座からの出金又は振込である取引に用いられ、前記取引のための処理を行う現金自動預払機との間で無線通信を行う携帯端末が、
口座を特定するための口座情報をメモリに記憶し、
当該口座からの出金又は振込である取引を現時点で行うことが可能な金額である限度額の入力を受け付け、
入力された前記限度額を前記メモリに記憶し、
前記メモリに記憶されている前記口座情報及び前記限度額を前記現金自動預払機に送信し、
前記現金自動預払機から送信される、前記取引における取引額を前記限度額から減算するように指示する限度額更新要求を受信し、
前記限度額更新要求に応じて、前記メモリに記憶されている前記限度額から前記取引額を減算した金額を前記限度額として前記メモリに記憶すること、
を特徴とする取引処理方法。
【請求項１６】
請求項１５に記載の取引処理方法であって、
前記携帯端末は、
前記限度額に加算すべき金額として前記設定金額の入力を受け付け、
受け付けた前記設定金額を前記限度額に加算すること、
を特徴とする取引処理方法。
【請求項１７】
相互に無線通信可能な現金自動預払機と無線通信とを含んで構成される取引処理システムにおいて、
前記携帯端末に、
口座を特定するための口座情報をメモリに記憶するステップと、
当該口座からの出金又は振込である取引を現時点で行うことが可能な金額である限度額の入力を受け付けるステップと、
入力された前記限度額を前記メモリに記憶するステップと、を実行させ、
前記現金自動預払機に、前記口座情報及び前記限度額を取得するための口座情報取得要求を前記携帯端末に送信するステップを実行させ、
前記携帯端末に、
前記現金自動預払機から送信される前記口座情報取得要求を受信するステップと、
前記口座情報取得要求に応じて、前記メモリに記憶されている前記口座情報及び前記限度額を前記現金自動預払機に送信するステップと、を実行させ、
前記現金自動預払機に、
前記携帯端末から送信される前記口座情報及び前記限度額を受信するステップと、
前記取引における取引金額の入力を受け付けるステップと、
受け付けた前記取引金額が前記限度額を超えているかどうかにより前記取引が可能かどうかを判断するステップと、
前記取引が可能な場合に、前記口座情報により特定される口座からの前記取引のための処理を行うステップと、
前記携帯端末に記憶されている前記限度額から前記取引金額を減額するように指示する限度額更新要求を前記携帯端末に送信するステップと、を実行させ、
前記携帯端末に、
前記現金自動預払機から送信される前記限度額更新要求を受信するステップと、
前記限度額更新要求に応じて、前記メモリに記憶されている前記限度額を、前記限度額から前記取引金額を減額した金額に更新するステップと、
を実行させるためのプログラム。
【請求項１８】
口座からの出金又は振込である取引に用いられ、ＣＰＵとメモリを備え、前記取引のための処理を行う現金自動預払機と無線通信可能な携帯端末に、
口座を特定するための口座情報を前記メモリに記憶するステップと、
当該口座からの出金又は振込である取引を現時点で行うことが可能な金額である限度額の入力を受け付けるステップと、
入力された前記限度額を前記メモリに記憶するステップと、
前記メモリに記憶されている前記口座情報及び前記限度額を前記現金自動預払機に送信するステップと、
前記現金自動預払機から送信される、前記取引における取引額を前記限度額から減算するように指示する限度額更新要求を受信するステップと、
前記限度額更新要求に応じて、前記メモリに記憶されている前記限度額から前記取引額を減算した金額を、前記限度額として前記メモリに記憶するステップと、
を実行させるためのプログラム。
【発明の詳細な説明】
【技術分野】
【０００１】
本発明は、取引処理システム、携帯端末、取引処理方法、およびプログラムに関する。
【背景技術】
【０００２】
金融機関が発行するキャッシュカードの普及に伴い、キャッシュカードの不正利用による犯罪も増加しており、社会的な問題となっている。こうした不正利用に対して、キャッシュカードなどの安全性を確保する工夫がなされている。例えば、特許文献１には、買物が利用累積額限度額の範囲内であれば暗証符号の入力をすることなく支払を可能とし、利用累積限度額を超える場合には、暗証符号の入力を行わせるようなシステムが提案されている。
【特許文献１】特開２００１−４３２７４号公報
【発明の開示】
【発明が解決しようとする課題】
【０００３】
しかしながら、特許文献１に記載されたシステムでは、利用者が予め設定した限度額にカードの利用累積額が達したかどうかを判断するものであるため、限度額と共にカードの利用累積額を管理して、それらを比較しなければならず、処理が複雑になると共に、記憶すべきデータの量も大きくなってしまう。
【０００４】
本発明は上記の点に鑑みてなされたものであり、キャッシュカードの利用累積額を管理することなく限度額を超えるカードの使用を制限できるようにすることを目的とする。
【課題を解決するための手段】
【０００５】
上記課題を解決するための本願の請求項１に記載の発明は、現金自動預払機と、携帯端末とを含んで構成され、前記携帯端末は、口座を特定するための口座情報を記憶するメモリと、当該口座からの出金又は振込である取引を現時点で行うことが可能な金額である限度額の入力を受け付ける限度額入力部と、入力された前記限度額を前記メモリに記憶する限度額設定部と、前記現金自動預払機との間での無線通信を行う第１の無線通信部と、を備え、前記現金自動預払機は、前記携帯端末との間での無線通信を行う第２の無線通信部と、前記口座情報及び前記限度額を取得するための口座情報取得要求を、前記第２の無線通信部を介して前記携帯端末に送信する口座情報取得要求送信部と、を備え、前記携帯端末は、前記現金自動預払機から送信される前記口座情報取得要求を前記第１の無線通信部を介して受信する口座情報取得要求受信部と、前記口座情報取得要求に応じて、前記口座情報及び前記限度額を前記第１の無線通信部を介して前記現金自動預払機に送信する口座情報送信部と、を備え、前記現金自動預払機は、前記携帯端末から送信される前記口座情報及び前記限度額を前記第２の無線通信部を介して受信する口座情報受信部と、前記取引における取引金額の入力を受け付ける取引金額入力部と、受け付けた前記取引金額が前記限度額を超えているかどうかにより前記取引が可能かどうかを判断する取引可否判断部と、前記取引が可能な場合に、前記口座情報により特定される口座からの前記取引のための処理を行う取引処理部と、前記携帯端末に記憶されている前記限度額から前記取引金額を減額するように指示する限度額更新要求を、前記第２の無線通信部を介して前記携帯端末に送信する限度額更新要求送信部と、を備え、前記携帯端末は、前記現金自動預払機から送信される前記限度額更新要求を、前記第１の無線通信部を介して受信する限度額更新要求受信部と、前記限度額更新要求に応じて、前記メモリに記憶されている前記限度額を、前記限度額から前記取引金額を減額した金額に更新する限度額更新部と、を備えることを特徴とする取引処理システムに係るものである。  
本発明の取引処理システムによれば、携帯端末に記憶されている限度額に基づいて出金の可否を判断することができる。したがって、犯罪等により口座から不正に出金されてしまった場合にも、所定の限度額以内にその被害を抑えることができる。
【０００６】
また、携帯端末に限度額が記憶されるため、現金自動預払機や金融機関側のホストコンピュータなどで利用者の限度額を管理する必要がない。したがって、システムのコストの増加を抑えつつ、利用累積額に基づく出金や振込などの取引の利用制限を行うシステムを利用者毎に柔軟に行なうことができる。さらに、携帯端末には、現時点で取引可能な限度額のみを記憶すればよく、取引の利用累積額などその他の情報を記憶する必要がないので、携帯端末での処理負荷を低減し、携帯端末に必要な記憶容量を抑えることができる。
【０００７】
また、本願の請求項２に記載の発明は、請求項１に記載の取引処理システムであって、前記携帯端末は、非接触型のＩＣカードを備え、前記ＩＣカードが、前記メモリと、前記第１の無線通信部と、前記口座情報取得要求受信部と、前記口座情報送信部と、を備え、前記現金自動預払機は、非接触型の前記ＩＣカードに対するデータの読み書きを行うリーダライタを備え、前記リーダライタが、前記第２の無線通信部を備え、前記口座情報受信部は、前記リーダライタを介して、前記ＩＣカードに記憶されている前記口座情報及び前記限度額を読み出し、前記限度額更新要求送信部は、前記リーダライタを介して、前記ＩＣカードに記憶されている前記限度額を、前記限度額から前記取引金額を減額した金額に書き換えることとする。  
この場合、非接触型のＩＣカードを利用してデータの記憶や読み出し、更新などを行うため、携帯端末で動作するアプリケーションプログラムの開発工数を低減し、開発コストを抑えることができる。
【０００８】
また、本願の請求項３に記載の発明は、請求項１に記載の取引処理システムであって、前記限度額入力部は、前記限度額に加算すべき金額として前記設定金額の入力を受け付け、前記限度額設定部は、受け付けた前記設定金額を前記限度額に加算することとする。
【０００９】
また、本願の請求項４に記載の発明は、請求項１に記載の取引処理システムであって、前記現金自動預払機は、前記携帯端末に前記限度額として設定すべき設定金額の入力を受け付ける設定金額入力部と、前記設定金額を前記限度額として設定するように指示する限度額設定要求を前記第２の無線通信部を介して前記携帯端末に送信する限度額設定要求送信部と、を備え、前記限度額入力部は前記現金自動預払機から送信される前記限度額設定要求を受信し、前記限度額設定部は、前記限度額設定要求に応じて、前記設定金額を前記限度額として前記メモリに記憶することとする。
【００１０】
また、本願の請求項５に記載の発明は、請求項４に記載の取引処理システムであって、前記設定金額入力部は、前記限度額に加算すべき金額として前記設定金額の入力を受け付け、前記限度額設定部は、前記限度額設定要求に応じて、前記メモリに記憶されている前記限度額に前記設定金額を加算することとする。
【００１１】
また、本願の請求項６に記載の発明は、請求項１に記載の取引処理システムであって、前記限度額更新要求送信部は、前記限度額から前記取引金額を減算した金額である更新金額を算出し、前記更新金額を前記限度額更新要求に設定して前記携帯端末に送信し、前記限度額更新部は、前記限度額更新要求に設定されている前記更新金額を前記限度額として前記メモリに記憶することとする。
【００１２】
また、本願の請求項７に記載の発明は、請求項１に記載の取引処理システムであって、前記限度額更新要求送信部は、前記取引金額を前記限度額更新要求に設定して前記携帯端末に送信し、前記限度額更新部は、前記メモリに記憶されている前記限度額から、前記限度額更新要求に設定されている前記取引金額を減算した金額である更新金額を算出し、算出した更新金額を前記限度額として前記メモリに記憶することとする。
【００１３】
また、本願の請求項８に記載の発明は、口座からの出金又は振込である取引に用いられる携帯端末であって、口座を特定するための口座情報を記憶するメモリと、当該口座からの出金又は振込である取引を現時点で行うことが可能な金額である限度額の入力を受け付ける限度額入力部と、入力された前記限度額を前記メモリに記憶する限度額設定部と、前記取引のための処理を行う現金自動預払機との間で無線通信を行う無線通信部と、前記メモリに記憶されている前記口座情報及び前記限度額を前記無線通信部を介して前記現金自動預払機に送信する口座情報送信部と、前記現金自動預払機から送信される、前記取引における取引額を前記限度額から減算するように指示する限度額更新要求を前記無線通信部を介して受信する限度額更新要求受信部と、前記限度額更新要求に応じて、前記メモリに記憶されている前記限度額から前記取引額を減算した金額を前記限度額として前記メモリに記憶する限度額更新部と、を備えることとする。
【００１４】
また、本願の請求項９に記載の発明は、請求項８に記載の携帯端末であって、前記携帯端末は、前記限度額に加算すべき金額として前記設定金額の入力を受け付け、受け付けた前記設定金額を前記限度額に加算することとする。
【００１５】
また、本願の請求項１０に記載の発明は、請求項８に記載の携帯端末であって、前記限度額更新要求には前記取引金額が設定され、前記限度額更新部は、前記メモリに記憶されている前記限度額から、前記限度額更新要求に設定されている前記取引金額を減算した金額である更新金額を算出し、算出した前記更新金額を前記限度額として前記メモリに記憶することとする。
【００１６】
また、本願の請求項１１に記載の発明は、相互に無線通信可能な現金自動預払機と無線通信とを含んで構成される取引処理システムにおいて、前記携帯端末が、口座を特定するための口座情報をメモリに記憶し、当該口座からの出金又は振込である取引を現時点で行うことが可能な金額である限度額の入力を受け付け、入力された前記限度額を前記メモリに記憶し、前記現金自動預払機が、前記口座情報及び前記限度額を取得するための口座情報取得要求を前記携帯端末に送信し、前記携帯端末が、前記現金自動預払機から送信される前記口座情報取得要求を受信し、前記口座情報取得要求に応じて、前記メモリに記憶されている前記口座情報及び前記限度額を前記現金自動預払機に送信し、前記現金自動預払機が、前記携帯端末から送信される前記口座情報及び前記限度額を受信し、前記取引における取引金額の入力を受け付け、受け付けた前記取引金額が前記限度額を超えているかどうかにより前記取引が可能かどうかを判断し、前記取引が可能な場合に、前記口座情報により特定される口座からの前記取引のための処理を行い、前記携帯端末に記憶されている前記限度額から前記取引金額を減額するように指示する限度額更新要求を前記携帯端末に送信し、前記携帯端末が、前記現金自動預払機から送信される前記限度額更新要求を受信し、前記限度額更新要求に応じて、前記メモリに記憶されている前記限度額を、前記限度額から前記取引金額を減額した金額に更新すること、を特徴とする取引処理方法に係るものである。
【００１７】
また、本願の請求項１２に記載の発明は、請求項１１に記載の取引処理方法であって、前記携帯端末は、前記限度額に加算すべき金額として前記設定金額の入力を受け付け、受け付けた前記設定金額を前記限度額に加算することとする。
【００１８】
また、本願の請求項１３に記載の発明は、請求項１１に記載の取引処理方法であって、前記現金自動預払機は、前記携帯端末に前記限度額として設定すべき設定金額の入力を受け付け、前記設定金額を前記限度額として設定するように指示する限度額設定要求を前記携帯端末に送信し、前記携帯端末は、前記現金自動預払機から送信される前記限度額設定要求を受信し、前記限度額設定要求に応じて、前記設定金額を前記限度額として前記メモリに記憶することとする。
【００１９】
また、本願の請求項１４に記載の発明は、請求項１３に記載の取引処理方法であって、前記現金自動預払機は、前記限度額に加算すべき金額として前記設定金額の入力を受け付け、前記携帯端末は、前記限度額設定要求に応じて、前記メモリに記憶されている前記限度額に前記設定金額を加算することとする。
【００２０】
また、本願の請求項１５に記載の発明は、口座からの出金又は振込である取引に用いられ、前記取引のための処理を行う現金自動預払機との間で無線通信を行う携帯端末が、口座を特定するための口座情報をメモリに記憶し、当該口座からの出金又は振込である取引を現時点で行うことが可能な金額である限度額の入力を受け付け、入力された前記限度額を前記メモリに記憶し、前記メモリに記憶されている前記口座情報及び前記限度額を前記現金自動預払機に送信し、前記現金自動預払機から送信される、前記取引における取引額を前記限度額から減算するように指示する限度額更新要求を受信し、前記限度額更新要求に応じて、前記メモリに記憶されている前記限度額から前記取引額を減算した金額を前記限度額として前記メモリに記憶すること、を特徴とする取引処理方法に係るものである。
【００２１】
また、本願の請求項１６に記載の発明は、請求項１５に記載の取引処理方法であって、前記携帯端末は、前記限度額に加算すべき金額として前記設定金額の入力を受け付け、受け付けた前記設定金額を前記限度額に加算することとする。
【００２２】
また、本願の請求項１７に記載の発明は、相互に無線通信可能な現金自動預払機と無線通信とを含んで構成される取引処理システムにおいて、前記携帯端末に、口座を特定するための口座情報をメモリに記憶するステップと、当該口座からの出金又は振込である取引を現時点で行うことが可能な金額である限度額の入力を受け付けるステップと、入力された前記限度額を前記メモリに記憶するステップと、を実行させ、前記現金自動預払機に、前記口座情報及び前記限度額を取得するための口座情報取得要求を前記携帯端末に送信するステップを実行させ、前記携帯端末に、前記現金自動預払機から送信される前記口座情報取得要求を受信するステップと、前記口座情報取得要求に応じて、前記メモリに記憶されている前記口座情報及び前記限度額を前記現金自動預払機に送信するステップと、を実行させ、前記現金自動預払機に、前記携帯端末から送信される前記口座情報及び前記限度額を受信するステップと、前記取引における取引金額の入力を受け付けるステップと、受け付けた前記取引金額が前記限度額を超えているかどうかにより前記取引が可能かどうかを判断するステップと、前記取引が可能な場合に、前記口座情報により特定される口座からの前記取引のための処理を行うステップと、前記携帯端末に記憶されている前記限度額から前記取引金額を減額するように指示する限度額更新要求を前記携帯端末に送信するステップと、を実行させ、前記携帯端末に、前記現金自動預払機から送信される前記限度額更新要求を受信するステップと、前記限度額更新要求に応じて、前記メモリに記憶されている前記限度額を、前記限度額から前記取引金額を減額した金額に更新するステップと、を実行させるためのプログラムに係るものである。
【００２３】
また、本願の請求項１８に記載の発明は、口座からの出金又は振込である取引に用いられ、ＣＰＵとメモリを備え、前記取引のための処理を行う現金自動預払機と無線通信可能な携帯端末に、口座を特定するための口座情報を前記メモリに記憶するステップと、当該口座からの出金又は振込である取引を現時点で行うことが可能な金額である限度額の入力を受け付けるステップと、入力された前記限度額を前記メモリに記憶するステップと、前記メモリに記憶されている前記口座情報及び前記限度額を前記現金自動預払機に送信するステップと、前記現金自動預払機から送信される、前記取引における取引額を前記限度額から減算するように指示する限度額更新要求を受信するステップと、前記限度額更新要求に応じて、前記メモリに記憶されている前記限度額から前記取引額を減算した金額を、前記限度額として前記メモリに記憶するステップと、を実行させるためのプログラムに係るものである。
【発明の効果】
【００２４】
本発明によれば、キャッシュカードの利用累積額を管理することなく限度額を超えるカードの使用を制限できる。
【発明を実施するための最良の形態】
【００２５】
＝＝＝システム構成＝＝＝  
図１は、本発明の一実施形態である取引処理システムの全体構成図である。図１に示すように、本実施形態の取引処理システムは、金融機関の顧客が所持する携帯電話機等の携帯端末１０、金融機関の店舗やＡＴＭコーナーなどに設置されるＡＴＭ（Automatic Teller Machine；現金自動預払機）２０、金融機関において口座からの入出金を行うホストコンピュータ３０を含んで構成される。
【００２６】
携帯端末１０は、例えば、携帯電話機やＰＤＡ（Personal Digital Assistance）、ノートパソコンなどのコンピュータである。携帯端末１０には利用者の口座番号等の口座情報が記録された非接触型のＩＣカードが組み込まれている。ＡＴＭ２０には非接触型のＩＣカードのリーダライタが組みこまれている。ＡＴＭ２０は、ＩＣカードのリーダライタを用いて、携帯端末１０が備えている非接触型ＩＣカードに無線通信路４１を介してアクセスし、非接触型ＩＣカードに記憶されている口座情報を読み出すことで、携帯端末１０をキャッシュカードとして利用することができるようになっている。
【００２７】
ホストコンピュータ３０は、金融機関の口座を管理するコンピュータであり、ＡＴＭ２０とホストコンピュータ３０とは通信路４２を介して接続されている。通信路４２としては、例えば、インターネットやＬＡＮ（Local Area Network）、ＷＡＮ（Wide Area Network）、公衆電話回線、無線通信路、フレームリレー網などを用いることができる。ＡＴＭ２０は、ホストコンピュータ３０との間で通信を行いながら、利用者の口座に対する入出金を処理する。
【００２８】
＝＝＝携帯端末１０＝＝＝  
図２に携帯端末１０のハードウェア構成を示す。同図に示すように、携帯端末１０は、ＣＰＵ１０１、メモリ１０２、ＮＶＲＡＭ（Non Volatile RAM）１０３、入力部１０４、表示部１０５、非接触型ＩＣカード１０６を備えている。
【００２９】
ＮＶＲＡＭ１０３は、プログラムやデータを記憶する記憶装置である。ＣＰＵ１０１は、ＮＶＲＡＭ１０３に記憶されているプログラムをメモリ１０２に読み出して実行することにより、非接触型ＩＣカード１０６にアクセスする機能などの各種の機能を実現する。入力部１０４は、利用者からデータの入力を受け付ける、例えば、キーパッドやスイッチ、マイクなどである。表示部１０５はデータを出力する、例えば、液晶ディスプレイなどである。なお、携帯端末１０には、表示部１０５に代えて、あるいは表示部１０５に加えて、スピーカやプリンタなどの出力装置を備えるようにしてもよい。
【００３０】
図３は携帯端末１０の機能ブロック図である。同図に示すように、携帯端末１０は、設定部１１１、設定情報取得要求受信部１１２、設定情報送信部１１３、限度額更新要求受信部１１４、限度額更新部１１５、設定情報記憶部１５１を備えている。
【００３１】
設定情報記憶部１５１は、利用者が金融機関に開設している口座を特定するための情報（以下、口座情報という。）や、口座からの出金や振込などの取引の累積額に対する限度額などを含む設定情報を記憶している。図４に設定情報記憶部１５１の構成を示す。同図に示すように、設定情報記憶部１５１は、金融機関名や支店名、口座種別、口座番号、口座名義などの口座情報、限度額、振込算入フラグ、及び利用者により設定されるパスワードを記憶している。ここで振込算入フラグは、限度額に振込みを含むかどうかを示す情報である。振込算入フラグに「○」が設定されている場合、上記限度額は、現金で引き出した金額と、振込みを行った金額とを合計した金額に対しての限度額を示すものとする。また、振込算入フラグに「×」が設定されている場合、上記限度額は、現金で引き出した金額の上限値となる。
【００３２】
設定情報記憶部１５１に記憶される設定情報のうち、限度額及び振込算入フラグは、利用者から設定可能となっている。設定部１１１は、上記限度額及び振込算入フラグの入力を受け付け、設定情報記憶部１５１に記憶されている設定情報を更新する。図５に設定情報の更新処理に用いられる画面例を示す。
【００３３】
設定部１１１は、図５に示す画面３１０を表示部１０５に表示する。画面３１０は、限度額の入力欄３１１、振込算入フラグを設定するチェックボックス３１２を備えている。利用者は、入力欄３１１に限度額を入力し、振込みによる取引金額をこの限度額に含めるかどうかをチェックボックス３１２に設定する。
【００３４】
利用者が「次へ」ボタン３１３を押下すると、設定部１１１はパスワードの入力画面３２０を表示する。画面３２０にはパスワードの入力欄３２１が表示され、利用者は入力欄３２１にパスワードを入力する。「次へ」ボタン３２２が押下されると、設定部１１１は、入力されたパスワードが上記設定情報のパスワードと一致しているかどうかを判断し、一致している場合には、画面３１０で入力された限度額（本発明の設定金額に該当する。）及び振込算入フラグに基づいて、設定情報記憶部１５１に記憶されている設定情報を更新する。設定部１１１は、設定情報の更新後、設定情報の更新が終わった旨を示すメッセージを表示する画面３３０を表示する。
【００３５】
なお、設定部１１１は、入力された金額を設定情報の限度額に加算するようにしてもよい。この場合、例えば、臨時に多額の出金の予定がある場合には、その不足分を限度額に追加するように利用限度額を設定することができるので、利用者にとって分かりやすい。
【００３６】
設定情報取得要求受信部１１２は、ＡＴＭ２０から送信される、設定情報を読み出すためのコマンド（以下、設定情報取得要求という。本発明の口座情報取得要求に該当する。）を受信する。  
設定情報送信部１１３（本発明の口座情報送信部に該当する。）は、設定情報取得要求の受信に応じて、設定情報記憶部１５１に記憶されている設定情報をＡＴＭ２０に送信する。  
限度額更新要求受信部１１４は、ＡＴＭ２０から送信される、限度額を更新するように指示するコマンド（以下、限度額更新要求という。）を受信する。
【００３７】
限度額更新部１１５は、限度額更新要求の受信に応じて、設定情報記憶部１５１に記憶されている設定情報の限度額を更新する。本実施形態では、限度額更新要求には取引金額が設定されており、限度額更新部１１５は、限度額更新要求に設定されている取引額を設定情報の限度額から減算した金額を算出し、算出した金額を設定金額の限度額として設定情報記憶部１５１に記憶させる。
【００３８】
なお、上記各記憶部１５１〜１５２は、非接触型ＩＣカード１０６が提供する記憶領域（本願発明のメモリに該当する。）として実現される。また、設定情報取得要求受信部１１２は、非接触型ＩＣカード１０６が提供する、ＩＣカードリーダライタから送信されるデータ取得要求の受信機能（本発明の携帯端末が備える無線通信部に該当する。）として実現され、設定情報取得要求や限度額更新要求などは、例えば、非接触型ＩＣカード１０６に対するデータの読み出し要求や書き込み要求として実現される。
【００３９】
＝＝＝ＡＴＭ２０＝＝＝  
図６にＡＴＭ２０のハードウェア構成を示す。同図に示すように、ＡＴＭ２０は、ＣＰＵ２０１、メモリ２０２、記憶装置２０３、タッチパネルディスプレイ２０４、ＩＣカードリーダライタ２０５、通信インタフェース部２０６、紙幣排出部２０７を備えている。
【００４０】
記憶装置２０３は、プログラムやデータを記憶する、例えばハードディスクやフラッシュメモリ、光ディスク、光磁気ディスク、半導体記憶装置などである。ＣＰＵ２０１は記憶装置２０３に記憶されているプログラムをメモリ２０２に読み出して実行することにより、ＡＴＭ２０としての機能を実現する。
【００４１】
タッチパネルディスプレイ２０４は、タッチパネルを備えた、液晶やＣＲＴなどの表示装置であり、入力装置としても機能する。ＩＣカードリーダライタ２０５は、無線通信路４１を介して、携帯端末１０に内蔵されている非接触型ＩＣカード１０６との間で通信を行い、非接触型ＩＣカード１０６に対するデータの読み書きを行う（本発明の現金自動預払機が備える無線通信部に該当する。）。通信インタフェース２０６は、通信路４２に接続するためのインタフェースである。通信インタフェース２０６には、通信路４２に合わせて、例えば、イーサネット（登録商標）に接続するためのイーサネット（登録商標）アダプタや、専用線や公衆電話回線に接続するためのモデムなどを用いることができる。ＡＴＭ２０は通信インタフェース２０６を介して、金融機関のホストコンピュータ３０との間の通信を行い、口座からの出金や振込みなどの処理を行う。紙幣排出部２０７は、取引時の現金の入出金口である。
【００４２】
図７にＡＴＭ２０の機能ブロック図を示す。同図に示すように、ＡＴＭ２０は、設定情報取得要求送信部２１１、設定情報受信部２１２、取引金額入力部２１３、取引可否判断部２１４、暗証番号入力部２１５、口座出金要求送信部２１６、口座処理結果受信部２１７、現金排出処理部２１８、限度額更新要求送信部２１９、エラーメッセージ表示部２２０を備えている。
【００４３】
設定情報取得要求送信部２１１は、設定情報取得要求を携帯端末１０に送信する。設定情報取得要求送信部２１１は、例えば、タッチパネルディスプレイ２０４に表示したメニュー画面から現金の引き出しが選択されたときに、設定情報取得要求を携帯端末１０に送信する。  
設定情報受信部２１２は、上記設定情報取得要求に応じて携帯端末１０から送信される設定情報を受信する。  
取引金額入力部２１３は、タッチパネルディスプレイ２０４のタッチパネルから入力される、出金や振込の金額（以下、取引金額という。）を受け付ける。  
取引可否判断部２１４（本発明の取引可否判断部に該当する。）は、取引金額が設定情報の限度額を超えているかどうかにより取引が可能かどうかの判断を行う。  
暗証番号入力部２１５は、取引が可能な場合に、タッチパネルディスプレイ２０４を介して、利用者から口座の暗証番号の入力を受け付ける。
【００４４】
口座出金要求送信部２１６は、口座からの出金を行うように指示するコマンド（以下、口座出金要求という。）をホストコンピュータ３０に送信する。口座出金要求には、設定情報の口座情報、入力された取引金額及び暗証番号が設定される。ホストコンピュータ３０では、口座出金要求に応じて、暗証番号が正しく残高が不足していないかどうかにより口座からの出金が可能であるかどうかが判断され、その判断結果を示す口座処理結果がＡＴＭ２０に送信される。  
口座処理結果受信部２１７は、口座出金要求に応じてホストコンピュータ３０から送信される、上記の口座処理結果を受信する。
【００４５】
なお、上記のようなＡＴＭ２０とホストコンピュータ３０とで行う口座からの出金処理には、一般的な銀行等の金融機関において口座から出金を行う際の処理を用いるようにすることができる。
【００４６】
現金排出処理部２１８は、口座処理結果が口座からの出金が可能であることを示すものであった場合に、紙幣排出部２０７を制御して現金を排出する。  
限度額更新要求送信部２１９は、取引金額を設定した限度額更新要求を携帯端末１０に送信する。  
エラーメッセージ表示部２２０は、上記取引可否判断部２１４が取引不能と判断した場合、又は上記口座処理結果受信部２１７が受信した口座処理結果が口座からの出金が不能であることを示すものである場合に、エラーメッセージをタッチパネルディスプレイ２０４に表示する。
【００４７】
＝＝＝取引処理＝＝＝  
図８は、本実施形態の取引処理システムによる取引処理の流れを説明する図である。同図に示す取引処理は、例えば、ＡＴＭ２０がタッチパネルディスプレイ２０４に表示したメニュー画面から、利用者が現金の引き出しの取引を選択することにより開始される。なお、利用者は、携帯端末１０に内蔵されている非接触型ＩＣカード１０６にＡＴＭ２０からアクセスできるように、携帯端末１０をＡＴＭ２０に近接させているものとする。
【００４８】
ＡＴＭ２０は、携帯端末１０に内蔵されている非接触型ＩＣカード１０６に対して、例えば、データの読み出し要求を送信することなどにより、非接触型ＩＣカード１０６との間の通信が可能であるかどうかを調べ、通信が可能である場合には非接触型ＩＣカード１０６の認証を行う（Ｓ４０１）。非接触型ＩＣカード１０６の認証処理は、一般的なＩＣカードの認証に用いられる処理である。例えば、ＡＴＭ２０を運用している金融機関の識別情報が非接触型ＩＣカード１０６に記憶されているかどうかを調べることにより、非接触型ＩＣカード１０６の認証を行うようにすることができる。
【００４９】
非接触型ＩＣカード１０６の認証に失敗した場合（Ｓ４０２：ＮＯ）、ＡＴＭ２０はＩＣカードの認証に失敗した旨のエラーメッセージをタッチパネルディスプレイ２０４に表示して（Ｓ４０３）、処理を終了する。
【００５０】
非接触型ＩＣカード１０６の認証に成功すると（Ｓ４０２：ＹＥＳ）、ＡＴＭ２０は、携帯端末１０に対して設定情報取得要求を送信し、携帯端末１０から応答される設定情報を受信する（Ｓ４０４）。ＡＴＭ２０は、取引金額を入力するように指示するメッセージをタッチパネルディスプレイ２０４に表示し、利用者から取引金額の入力を受け付ける（Ｓ４０５）。ＡＴＭ２０は、入力された取引金額が設定情報の限度額以下であるかどうかにより取引が可能かどうかを判断する（Ｓ４０６）。ＡＴＭ２０は、取引額が限度額を超えている場合（Ｓ４０６：ＮＯ）、すなわち取引が不能である場合には、取引ができない旨のエラーメッセージをタッチパネルディスプレイ２０４に表示し（Ｓ４０７）、処理を終了する。ここで、ＡＴＭ２０は、例えば、限度額と、その限度額以下の金額であれば取引できる旨のメッセージとをタッチパネルディスプレイ２０４に出力するようにしてもよい。
【００５１】
一方、取引額が限度額以下である場合（Ｓ４０６：ＹＥＳ）、すなわち取引が可能である場合には、ＡＴＭ２０は、図９に示す現金の払い出し処理を行う（Ｓ４０８）。  
現金の払い出し処理ではまずＡＴＭ２０が、タッチパネルディスプレイ２０４を介して利用者から暗証番号の入力を受け付ける（Ｓ４２１）。ＡＴＭ２０は、設定情報の口座情報と、取引金額と、入力された暗証番号とを設定した口座出金要求をホストコンピュータ３０に送信する（Ｓ４２２）。
【００５２】
ホストコンピュータ３０は、ＡＴＭ２０から口座出金要求を受信すると、口座出金要求に設定されている暗証番号が正しいものであるかどうかを確認し（Ｓ４２３）、口座出金要求に設定されている口座情報により特定される口座の残高が、口座出金要求に設定されている取引金額以上あるかどうかの確認を行う（Ｓ４２４）。ホストコンピュータ３０は、暗証番号が正しく、かつ残高が不足していないかどうかにより、口座からの出金が可能であるかどうかを判断し、その判断結果を示す口座処理結果をＡＴＭ２０に送信する（Ｓ４２５）。
【００５３】
ＡＴＭ２０は、口座処理結果を受信し（Ｓ４２６）、受信した口座処理結果を参照し、口座からの出金が可能であるかどうかを判断する（Ｓ４２７）。口座からの出金が不能であった場合（Ｓ４２７：ＮＯ）、ＡＴＭ２０は、口座からの出金ができない旨を示すエラーメッセージをタッチパネルディスプレイ２０４に表示して（Ｓ４２８）、処理を終了する。
【００５４】
口座からの出金が可能である場合（Ｓ４２７：ＹＥＳ）、ＡＴＭ２０は取引金額分の現金を紙幣排出部２０７から排出する（Ｓ４２９）。ＡＴＭ２０は、取引金額を設定した限度額更新要求を携帯端末１０に送信する（Ｓ４３０）。
【００５５】
携帯端末１０は、ＡＴＭ２０から送信された限度額更新要求を受信すると、設定情報記憶部１５１に記憶されている設定情報の限度額から、限度額更新要求に設定されている取引金額を減算した更新金額を算出する（Ｓ４３１）。携帯端末１０は、算出した更新金額で設定情報の限度額を書き代えるように設定情報記憶部１５１を更新する（Ｓ４３２）。
【００５６】
上記のようにして、ＡＴＭ２０は、出金可能な金額を、携帯端末１０内蔵の非接触型ＩＣカード１０６に設定されている限度額までに限ることができる。したがって、例えば、犯罪等により口座から不正に出金されてしまった場合にも、所定の限度額以内にその被害を抑えることができる。
【００５７】
その一方で、取引可能な限度額は利用者毎の携帯端末１０に設定されるので、利用者毎に異なる限度額を設定することができる。したがって、利用者は、自分の都合に合わせて限度額を調整することができる。よって、利用者は、例えば、不正な現金の引き出しに係るリスクを負うことで、より高額な限度額の取引を可能とするようなこともできる。これにより、利用者は、都合に合わせた取引の限度額を管理することができる。このように、自身の都合に合わせたリスクの管理を行うことができるので便利である。
【００５８】
また、本実施形態の取引処理システムでは、携帯端末１０に限度額などの設定情報が管理されている。したがって、ホストコンピュータ３０に利用者の設定情報を記憶する必要がないので、既存システムを変更することなく本実施形態の取引処理システムを、コストの増加を抑えつつ実現することができる。また、銀行などのように多数の顧客の口座を管理する場合であっても、ＡＴＭ２０やホストコンピュータ３０が提供するべき記憶資源を増加させる必要がないので、コストの増加を抑え、安価にシステムを実現することができる。また、金融機関は設定情報を管理する必要がないので、管理コストを低減することもできる。これにより、金融機関はサービスを安価に提供することができる。また、金融機関は利用者の設定情報を管理しないため、データの保全性に係るリスクを低減することができる。さらに、利用者の設定情報は、他人の設定情報が記憶される記憶媒体とは物理的に異なる記憶媒体に記憶されることになるため、安全性が高い。
【００５９】
また、例えば、事業を行っている個人事業主などにとっては、金融機関により画一的に設定された、例えば１日に１００万円などの限度額では、ＡＴＭ２０を用いて動かすことのできる資金量が足りなくなってしまうことがあるが、本実施形態の取引処理システムによれば、上記の個人事業主などは、不正な取引による出金のリスクを負う代わりに、取引可能な限度額を自由に設定することができるので使い勝手がよい。
【００６０】
また、携帯端末１０に管理されている設定情報は、利用者から書き変え可能であるので、利用者は自分自身で都合に合わせて、自由に限度額を設定することができる。すなわち、利用者は柔軟な限度額の設定を行うことが可能となり便利である。
【００６１】
また、携帯端末１０に記憶されている設定情報は、携帯端末１０側で変更することが可能であり、ＡＴＭ２０やホストコンピュータ３０などにアクセスする必要がない。したがって、限度額の変更に係るＡＴＭ２０やホストコンピュータ３０の処理負荷や通信負荷を抑えることができる。これにより、取引処理システム全体の応答性を高め、利便性を向上することができる。
【００６２】
また、設定情報が携帯端末１０に記憶されているので、ＡＴＭ２０は、ホストコンピュータ３０にアクセスすることなく、取引が限度額を超えているかどうかを判断することができる。すなわち、ホストコンピュータ３０の処理負荷や通信路４２の通信負荷を上げることなく、取引可否の判断処理を行うことができる。したがって、取引処理システム全体の処理効率が向上する。よって、取引処理システムの応答性を高め、利便性を向上することができる。
【００６３】
また、設定情報が携帯端末１０に設定され、ＡＴＭ２０が限度額に応じた取引の可否を判断することによって、ホストコンピュータ３０側で動作するアプリケーションプログラムを改変する必要がない。したがって、システムの開発コストを抑えることができる。また、安定稼動しているホストコンピュータ３０のアプリケーションプログラムはそのまま運用可能であるため、不具合発生の可能性を抑え、例え不具合が起こったとしてもその被害がホストコンピュータ３０に及ばないようにすることができる。
【００６４】
また、本実施形態の携帯端末１０に非接触型ＩＣカード１０６を内蔵させるようにすることによって、携帯端末１０で動作するアプリケーションでは、設定情報の読み書き等に関する処理を実装する必要がない。したがって、携帯端末１０に係る開発工程を低減し、開発コストを更に抑えることができる。よって、本実施形態に係る取引処理システムによるサービスを安価に提供することが可能となる。
【００６５】
＝＝＝振込の場合＝＝＝
これまでの説明では、現金の引き出しを前提としていたが、振込みの場合も同様の処理になる。振込みの場合、ＡＴＭ２０は、上記図９の処理の（Ｓ４２１）において、暗証番号の入力に加えて、振込先となる口座の口座情報の入力を受け付け、口座出金要求に、口座情報と取引金額に加えて、振込先を設定するようにする。また、（Ｓ４２９）では、ＡＴＭ２０は、現金の払い出しに代えて、振込が完了した旨のメッセージをタッチパネルディスプレイ２０４に表示する。（Ｓ４３０）では、設定情報の振込算入フラグが「○」であった場合にのみ、取引金額（振込金額）を設定した限度額更新要求を携帯端末１０に送信するようにし、設定情報の振込算入フラグが「×」であった場合には、限度額更新要求を送信しない、あるいは取引金額として「０（ゼロ）」を設定した限度額更新要求を携帯端末１０に送信するようにする。
【００６６】
＝＝＝変形例＝＝＝
なお、本実施形態では、更新金額の計算は携帯端末１０が行うものとしたが、ＡＴＭ２０が計算するようにしてもよい。この場合、ＡＴＭ２０は、携帯端末１０から受信した設定情報の限度額から取引額を減算して更新金額を算出し、算出した更新金額を限度額更新要求に設定して携帯端末１０に送信するようにする。そして携帯端末１０は、受信した限度額更新要求に設定されている更新額を設定情報の限度額として設定情報記憶部１５１に記憶させる。
【００６７】
また、本実施形態では、設定情報を更新するための限度額等の入力は携帯端末１０から行うものとしたが、ＡＴＭ２０から入力するようにしてもよい。この場合、ＡＴＭ２０は、図５に示したような画面を表示して限度額とパスワードの入力を受け付ける。ＡＴＭ２０は、入力された限度額とパスワードとを設定した、設定情報を更新するように指示するコマンド（以下、設定情報更新要求という。）を携帯端末１０に送信する。携帯端末１０は、設定情報更新要求をＡＴＭ２０から受信し、設定情報更新要求に設定されているパスワードと、設定情報記憶部１５１に記憶されている設定情報のパスワードが一致している場合に、設定情報の限度額を、設定情報更新要求に設定されている限度額に更新する。
【００６８】
また、本実施形態では、携帯端末１０は単独で設定情報を更新できるものとしたが、例えば、設定情報の更新処理前にＡＴＭ２０やホストコンピュータ３０による利用者の認証を行うようにしてもよい。この場合、例えば、携帯端末１０は、上記の処理前に、ＡＴＭ２０に対して利用者の認証要求を送信し、ＡＴＭ２０は口座番号の暗証番号などの入力をタッチパネルディスプレイ２０４から受け付け、ホストコンピュータ３０に対して暗証番号の認証要求を送信し、ホストコンピュータ３０で暗証番号の正当性を検証するようにすることができる。このように、更新処理前に利用者の認証処理を行うことで、不正に携帯端末１０の設定情報が変更されてしまうようなことを防ぐことができる。
【００６９】
また、本実施形態では、非接触型ＩＣカード１０６に設定情報などのデータが記憶され、設定情報取得要求や限度額更新要求はＩＣカードの機能により実現されるものとしたが、非接触型ＩＣカード１０６に記憶されているデータを携帯端末１０のメモリ１０２に記憶するようにしてもよい。この場合、設定情報取得要求受信部１１２や設定情報送信部１１３、限度額更新要求受信部１１４、限度額更新部１１５は、携帯端末１０のＣＰＵ１０１がメモリ１０２に記憶されているプログラムを実行することにより実現することになる。
【００７０】
また、本実施形態では、設定情報には１つの限度額が設定されるものとしたが、例えば、取引時間帯毎に限度額を設定するようにすることもできる。この場合、ＡＴＭ２０は、取引時間帯に対応する限度額と、取引金額とを比較して取引が可能かどうかを判断する。また、ＡＴＭ２０は、限度額更新要求に取引金額に加えて取引時間帯も設定するようにする。これにより、利用者は、時間帯毎に取引可能な限度額を設定することが可能となる。すなわち、利用者のニーズに対してより柔軟な対応が可能となる。
【００７１】
また、「現金の引き出し」や「振込み」などの取引種別に限度額を設定するようにしてもよい。この場合、設定情報記憶部１５１に記憶される設定情報には、取引種別毎の限度額を１つ以上記憶するようにする。また、ＡＴＭ２０は上記図８の（Ｓ４０６）において、取引金額が取引種別に対応する限度額を越えていないかどうかを判断するようにする。また、ＡＴＭ２０は、限度額更新要求には、取引金額に加えて取引種別を設定するようにし、携帯端末１０は、限度額更新要求に設定されている取引種別に対応した限度額を更新するようにする。
【００７２】
また、取引の時間帯別に限度額を設定するようにしてもよい。この場合、設定情報には時間帯別の限度額を記憶するようにし、限度額更新要求には時間帯と取引金額とを設定するようにする。
【００７３】
さらに、取引種別と時間帯との両方に応じた限度額を設定するようにすることもできる。この場合、例えば、設定情報とは別に、非接触型ＩＣカード１０６に取引種別と時間帯と限度額とを含む限度額情報を記憶する限度額記憶部を設けるようにすることができる。このような限度額記憶部の例を図１０に示す。限度額記憶部に記憶される限度額情報には、取引種別、時間帯、及び限度額が含まれる。取引種別としては、「現金」「振込」「振替」などがある。図１０に示す例では、現金については、「７：００〜１９：００」の時間帯においては「１００，０００」円の引き出しが可能であり、「２１：００〜７：００」の夜間には引き出しが不可能であり、振込に付いては時間帯に関わらず「３，０００，０００」円の振込が可能である旨が設定されている。携帯端末１０の設定情報送信部１１３は、設定情報に付帯させて、上記限度額記憶部に記憶されている限度額情報をＡＴＭ２０に送信し、ＡＭＴ２０は上記図９の（Ｓ４０６）において、設定情報に付帯されている限度額情報から、取引種別と取引時間帯とに対応する限度額を取り出し、取り出した限度額と取引金額とを比較することにより取引が可能かどうかを判断するようにする。また、ＡＴＭ２０は、限度額更新要求には、取引金額に加えて取引種別と取引の時間帯とを設定するようにし、携帯端末１０は、限度額更新要求に設定されている取引種別と時間帯とに対応する限度額を更新するようにする。
【００７４】
上記のように取引種別や時間帯に応じて限度額を設定するようにした場合、利用者は、都合に合わせてより細かな限度額の設定を行うことができるので便利である。利用者は、例えば、生活パターンに沿った時間帯の限度額を設定することにより、活動時間外に不正な取引が行われてしまうようなリスクを抑えることもできる。
【００７５】
また、本実施形態では、携帯端末１０とＡＴＭ２０との間の通信は、非接触型ＩＣカード１０６にアクセスする無線通信を前提としたが、赤外線などのその他の無線通信による通信を行うようにしてもよい。
【００７６】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００７７】
【図１】本発明の一実施の形態による、取引処理システムの全体構成図である。
【図２】本発明の一実施の形態による、携帯端末１０のハードウェア構成を示す図である。
【図３】本発明の一実施の形態による、携帯端末１０の機能ブロック図である。
【図４】本発明の一実施の形態による、設定情報記憶部１５１の構成を示す図である。
【図５】本発明の一実施の形態による、限度額及び振込算入フラグを設定するために用いられる画面例を示す図である。
【図６】本発明の一実施の形態による、ＡＴＭ２０のハードウェア構成を示す図である。
【図７】本発明の一実施の形態による、ＡＴＭ２０の機能ブロック図である。
【図８】本発明の一実施の形態による、本実施形態の取引処理システムによる取引処理の流れを説明する図である。
【図９】本発明の一実施の形態による、現金の払い出し処理の流れを示す図である。
【図１０】本発明の一実施の形態による、限度額情報を複数設定することのできる限度額記憶部の例を示す図である。
【符号の説明】
【００７８】
１０    携帯端末                  ２０    ＡＴＭ
３０    ホストコンピュータ        ４１    無線通信路
４２    通信路
１０１  ＣＰＵ                    １０２  メモリ
１０３  ＮＶＲＡＭ                １０４  入力部
１０５  表示部                    １０６  非接触型ＩＣカード
１１１  設定部                    １１２  設定情報取得要求受信部
１１３  設定情報送信部            １１４  限度額更新要求受信部
１１５  限度額更新部              １５１  設定情報記憶部
２０１  ＣＰＵ                    ２０２  メモリ
２０３  記憶装置                  ２０４  タッチパネルディスプレイ
２０５  ＩＣカードリーダライタ    ２０６  通信インタフェース部
２０７  紙幣排出                  ２１１  設定情報取得要求送信部
２１２  設定情報受信部            ２１３  取引金額入力部
２１４  取引可否判断部            ２１５  暗証番号入力部
２１６  口座出金要求送信部        ２１７  口座処理結果受信部
２１８  現金排出処理部            ２１９  限度額更新要求送信部
２２０  エラーメッセージ表示部
【図１】
2006244379.tif 000003
【図２】
2006244379.tif 000004
【図３】
2006244379.tif 000005
【図４】
2006244379.tif 000006
【図５】
2006244379.tif 000007
【図６】
2006244379.tif 000008
【図７】
2006244379.tif 000009
【図８】
2006244379.tif 000010
【図９】
2006244379.tif 000011
【図１０】
2006244379.tif 000012